(57)【特許請求の範囲】
【請求項１】
根切部材と回収箱と柄で構成され、前記根切部材は、根切刃とステーと柄保持部材で構成され、前記回収箱は前記ステーと結合し、底面は網部材で覆い、前記根切刃の上面と前記網部材の上面は角度θ１を持って連続され、前記根切刃の上面と柄の中心線は一定角度θ２に構成されたことを特徴とする草取り具。
【請求項２】
前記請求項１に記載の草取り具において、前記網部材のメッシュは、小さい草を通さず、土砂を通す５〜１０mm角としたことを特徴とする草取り具。
【請求項３】
前記請求項１に記載の草取り具において、前記回収箱の網部材上面と、前記根切刃上面は鈍角に接合して連続的に構成され、前記根切刃の上面と柄の中心線は鋭角にしたことを特徴とする草取り具。
【発明の詳細な説明】
【技術分野】
【０００１】
この発明は、畑や庭の草取りを行う時、従来の草取り鎌は草の根を掘り起すのみで、その草は手で回収する必要が有り、その回収は面倒で、根に着いた土砂で手が汚れる欠点が有った。本案はその問題を解決する為に工夫したもので、根切刃で草の根を掘り起すと同時に、草と土砂を回収箱に集め、草の根に着いた土砂を網状部でふるい落とす、草取り具に関するものある。  
【背景技術】
【０００２】
下記文献に示す従来の「草取り鎌」は、草の根を掘り起すのみで、その草の回収は手で行うしかなかった。また、他の発明では根切刃と回収刃の２枚構成で、根切刃で根を切起し、回収刃で草を集める構造であるが、草の大きさにより、根切刃と回収刃の間の隙間調整が難しく、コスト高で、使い勝手が悪かった。本案はそれらの問題を解決したものである。
【先行技術文献】
【特許文献】
【０００３】
【特許文献１】特開平１０−０００００９号公報
【特許文献２】特許第５１１５８９６号公報
【発明の概要】
【０００４】
本発明は上記事情に鑑みてなされたもので、根切刃で草の根を掘り起すと同時に回収箱に落とし込み、回収箱の底面に設けた網状部で根に付着した土砂を振るい落とし、草をバケツ等に捨てる等一連の操作を１本の「草取り具」で処理できるようにしたものである。
【発明が解決しようとする課題】
【０００５】
（１）草の根掘り起しと、草の回収を同時に行う構造の考案。
（２）回収した草の土砂を簡単に落とせる構造の考案。
（３）回収した草をバケツ等に容易に捨てられる構造の考案。
【課題を解決するための手段】
【０００６】
（１）根切刃と回収箱を連続的に繋ぎ、柄を水平に持ち、引くと草の根の掘り起しと、同時に草を回収箱に送り込む構造とした。
（２）回収箱の底面を網目とし、回収箱の先端を地面に当てる操作で土砂をふるい落とす構造とした。
（３）柄を回転させ、回収箱を裏返して、草をバケツ等に容易に捨てられる構造とした。
【発明の効果】
【０００７】
前記解決手段により、従来品に比べ、下記の点が大幅に改善される。
（１）草の根掘り起しと草の回収を同時に行い人手による草の回収を不要にした。
（２）回収した草根の土砂は、回収箱の底面を網目とし、地面に当てて振動を与えふるい落とすことが出来る。
（３）柄を回転させて回収箱を裏返し、バケツ等に容易に捨てられ、手を使わず草を回収できるようになった。
【図面の簡単な説明】
【０００８】
【図１】本案の全体斜視図
【図２】本案の草取り操作説明図
【図３】図２の側面断面図(A-A’)
【図４】本案の草の土砂落し操作説明図
【図５】本案の草捨て操作説明図
【発明を実施するための形態】
【０００９】
以下に、図１から図５を参照して本案の構造と使用操作を説明する。
図１の１は、本案の全体斜視図で、２a根切刃の幅方向側面から立ち上がる２bステーの外側に４回収箱が４a点溶接で結合され、更に延長されたステーの上面に２c柄保持部材が点溶接又は２d鋲結合され、３柄は２c柄保持部材と結合され、図２示す様に、２a根切刃の上面と３柄の中心線は角度θ1は約４５度に設定されている。
また、４回収箱は外周３面を金属板で覆い、底面は５網部材が結合され、５網部材上面と２a根切刃の上面は角度θ２=約１４５度に設定され連続的に繋がっている。
尚、２a根切刃の材質はステンレス鋼又は焼き入れ鋼を用いることが好ましい。
図２は草取り操作の説明図で、３柄を水平にして引くと、２a根切刃は地面に食い込み、草の根と土砂を、共に２a根切刃の上部に送り込み、４回収箱に押し出され、土砂は底面の網から地面に落下する。図３は図２のA-A’断面図で、
２ａ根切刃と４回収箱の４a点溶接と２c柄保持部材の２d加締め鋲等の配置が示されている。図４は、草の土砂を落とす操作の説明図で、３柄を上に傾け、４回収箱の先端を地面に打ち付けると、振動衝撃で、土砂は網メッシュから容易に落下する。
また、網目のメッシュサイズを決定することが大切で、発明者の実験結果では、極細かい草は別にして、通常畑等に生える雑草の小さい物は、5mm角あれば漏れない。一方、土砂は、かなり大粒の石ころ又は土の塊でも10mm角あれば通過する。従って、普通の畑では7mm角程度あれば実用的に問題ない。草の大きさと土砂の状態で決定することが好ましい。網の材質は強度と錆びの点からステンレス線材の網が好ましい。網の溶接は補助板を使って点溶接することが好ましい。
次に、４回収箱に草が満杯になったら、図５の「草捨て操作」に示す様に、３柄を１８０度回転して、４回収箱をバケツ等の上に伏せる様にし、２c柄保持部材をバケツ等の上面で軽く叩くと、５網部材に絡んだ草も綺麗に落下する。
【００１０】
以上の構造説明から、使用操作方法の説明に移る。作動説明として、じゃ刊前記したが、図２、４、５図を参照願いたい。
図２は、草取り操作で、３柄を握り、若干下方向に力を加えながら引くと、２a根切刃は地面に食い込み、草の根を切ることが出来る。従って、根の深い物は、下方向への力を強くする必要がある。３柄を引くと、２a根切刃は引かれた方向に進み、草と土砂は２a根切刃の勾配を登り、４回収箱の５網部材の上に押し出され、土砂は網のメッシュから零れ落ちて地面に落下する。
４回収箱に草が多くなると土砂が落下しにくくなるので、図４の草の土砂落し操作として、３柄を斜めに持ち上げて、４回収箱の先端を地面に叩きつけると、振動で草が広がると同時に土砂が簡単に落下する。
次に、４回収箱が草で満杯になったら、図５の様に、バケツ等を用意して、３柄を１８０度回転させると、４回収箱は裏返しになり、草はバケツに落下する。
しかし、草の根が網のメッシュに絡んで取れない時は、２c柄保持部材をバケツの上面に打ち付けると、草は振動で容易に取れて落下する。
また３柄の長さは、回収箱が小型の場合は、通常300mm程度が使い易いが、回収箱を大きくして、立ち姿で多量の草を取るには、1000mm程度とし、θ１は６０度程度にすることが好ましい。 
【産業上の利用可能性】
【００１１】
庭や畑の雑草は、雨の多い時期には種の発芽も早く、取っても取ってもすぐはえ    
てくる感じで困りものですが、それ以外の原因として、草の根から取らずに、土              
の上にある葉のみを切っている場合は、特に早く成長します。
そんな原因の対策には、本案の「草取り具」を使用し、草を根こそぎとって頂き    
たい、柄を引くだけで、手を使わずに草が根こそぎ回収できるのは快適です。
大量生産すれば、コスト適にも、大きな負担無く生産でき、一般家庭でも、農業  
生産者にも喜んで頂ける発明と自負しています。
【符号の説明】
【００１２】
１草取り具全体、２根切部材、２a根切刃、２bステー、２c柄保持部材、２d加締め鋲、３柄、４回収箱、４a点溶接、５網部材、θ1柄の中心線と根切刃上面の角度、θ2根切刃上面と回収箱底面の角度
【要約】      （修正有）【課題】根切刃で草の根を掘り起すと同時に、回収箱に集め、同時に草の根に着いた土砂を網状部でふるい落とす草取り具を提供する。【解決手段】根切刃２ａの上面と回収箱４の底面とにθ２の角度を付けて連続面とし、根切刃２ａの上面と柄３の中心線とにθ１の角度を設けて草取り操作を容易にした。【選択図】図２【図１】
0005504404.tif 000002
【図２】
0005504404.tif 000003
【図３】
0005504404.tif 000004
【図４】
0005504404.tif 000005
【図５】
0005504404.tif 000006